(57)【要約】【課題】ブロック単位に制限されることなく連続した長尺の植栽溝を形成することができる緑化ブロックを提供する。【解決手段】基本ブロック部１と植栽溝部２からなる緑化ブロックであって、植栽溝部２は底板２ａと側壁２ｂからなるＬ字型であり、基本ブロック部１の前面に底板２ａが接合され、植栽溝部２が基本ブロック部１の前面の一端から他端にかけて水平に設けられ、植栽溝部２の底板２ａが基本ブロック部１の前面の下端に設けられており、基本ブロック部１の前面の上端に突出した支持面３が設けられている緑化ブロックである。緑化ブロックを横並びに施工すると、隣り合う植栽溝部２同士が連結し、連続した長尺の植栽溝部２を形成することができる。連続した長尺の植栽溝部２が形成されることにより、土１１を連続的に敷き詰めることが可能となり、植栽の自由度が増す。【選択図】図１
2010148469.tif 000002
【特許請求の範囲】
【請求項１】
基本ブロック部と植栽溝部からなる緑化ブロックであって、
前記基本ブロック部は直方体であり、
前記植栽溝部は底板と該底板の前面に設けられた側壁とで側面視Ｌ字型に形成されており、
前記基本ブロック部の前面に前記植栽溝部の底板の後面が接合され、
前記植栽溝部が前記基本ブロック部の前面の一端から他端にかけて水平に設けられている
ことを特徴とする緑化ブロック。
【請求項２】
前記基本ブロック部の前面と後面に、それぞれ前記植栽溝部の底板の後面が接合され、
前記植栽溝部が前記基本ブロック部の前面と後面のそれぞれの一端から他端にかけて水平に設けられている
ことを特徴とする請求項１記載の緑化ブロック。
【請求項３】
前記基本ブロック部の前面の上端に突出した支持面が設けられており、
前記植栽溝部の前記底板が前記基本ブロック部の前面の下端に設けられている
ことを特徴とする請求項１記載の緑化ブロック。
【請求項４】
前記基本ブロック部の前面と後面の上端に、それぞれ突出した支持面が設けられており、
前記植栽溝部の前記底板が前記基本ブロック部の前面と後面のそれぞれの下端に設けられている
ことを特徴とする請求項２記載の緑化ブロック。
【請求項５】
前記植栽溝部の前記底板に植栽溝水抜き穴が設けられている
ことを特徴とする請求項１、２、３または４記載の緑化ブロック。
【請求項６】
前記植栽溝部の前記底板に前記植栽溝水抜き穴が設けられており、
前記支持面に支持面水抜き穴が設けられており、
前記植栽溝水抜き穴と前記支持面水抜き穴が平面視同位置に設けられている
ことを特徴とする請求項３または４記載の緑化ブロック。
【発明の詳細な説明】
【技術分野】
【０００１】
本発明は、緑化ブロックに関する。さらに詳しくは、ブロック塀として施工でき、かつ植栽が可能な緑化ブロックに関する。
【背景技術】
【０００２】
従来、意匠効果を持たせるなどの目的でブロック塀への植栽が行われている。その一例として植栽ポットをフックでブロック塀へ引っ掛ける方法があり、これにより簡便に植栽を施すことができる。しかしこの方法では、フックでの固定が不安定であり、植栽ポットが斜めになるなどの問題がある。
【０００３】
そこでこの問題を解決するために、塀用ブロックと植栽ポットを一体とした緑化ブロックが提案されている。その一例である特許文献１の緑化ブロックは、塀用ブロック部の前面に突出させた鉢受部を設け、鉢受部に専用の植栽ポットを落とし込んだものである。これにより植栽ポットを安定して保持することが可能となっている。
【０００４】
ところが、特許文献１の緑化ブロックは、鉢受部がブロック単位で設けられているので、鉢受部に適合した専用の植栽ポットを用いる必要があり、植栽ポットの大きさが制限されてしまうという問題がある。
また、特許文献１には、大型の植栽ポットを使用するため、植栽ポットの両端のみを保持する緑化ブロックも提示されているが、両端しか保持されないので、一般的な植栽ポットの剛性から鑑みると使用可能な植栽ポットの長さには限界があり、植栽ポットの大きさが制限されるという問題を完全に解決できるものではない。
【０００５】
【特許文献１】実用新案登録第３１０１０５７号
【発明の開示】
【発明が解決しようとする課題】
【０００６】
本発明は上記事情に鑑み、ブロック単位に制限されることなく連続した長尺の植栽溝を形成することができる緑化ブロックを提供することを目的とする。
【課題を解決するための手段】
【０００７】
第１発明の緑化ブロックは、基本ブロック部と植栽溝部からなる緑化ブロックであって、前記基本ブロック部は直方体であり、前記植栽溝部は底板と該底板の前面に設けられた側壁とで側面視Ｌ字型に形成されており、前記基本ブロック部の前面に前記植栽溝部の底板の後面が接合され、前記植栽溝部が前記基本ブロック部の前面の一端から他端にかけて水平に設けられていることを特徴とする。
第２発明の緑化ブロックは、第１発明において、前記基本ブロック部の前面と後面に、それぞれ前記植栽溝部の底板の後面が接合され、前記植栽溝部が前記基本ブロック部の前面と後面のそれぞれの一端から他端にかけて水平に設けられていることを特徴とする。
第３発明の緑化ブロックは、第１発明において、前記基本ブロック部の前面の上端に突出した支持面が設けられており、前記植栽溝部の前記底板が前記基本ブロック部の前面の下端に設けられていることを特徴とする。
第４発明の緑化ブロックは、第２発明において、前記基本ブロック部の前面と後面の上端に、それぞれ突出した支持面が設けられており、前記植栽溝部の前記底板が前記基本ブロック部の前面と後面のそれぞれの下端に設けられていることを特徴とする。
第５発明の緑化ブロックは、第１、第２、第３または第４発明において、前記植栽溝部の前記底板に植栽溝水抜き穴が設けられていることを特徴とする。
第６発明の緑化ブロックは、第３または第４発明において、前記植栽溝部の前記底板に前記植栽溝水抜き穴が設けられており、前記支持面に支持面水抜き穴が設けられており、前記植栽溝水抜き穴と前記支持面水抜き穴が平面視同位置に設けられていることを特徴とする。
【発明の効果】
【０００８】
第１発明によれば、基本ブロック部の前面に植栽溝部が設けられているので、ブロック塀もしくは擁壁として施工でき、かつ植栽溝部に草花を植栽することができる。植栽溝部の側面には壁がないため軽量であり、多段積みすることも可能である。また、植栽溝部は基本ブロック部の前面の一端から他端にかけて水平に設けられているので、緑化ブロックを横並びに施工すると、隣り合う植栽溝部同士が連結し、連続した長尺の植栽溝部を形成することができる。このように、連続した長尺の植栽溝部が形成されることにより、土を連続的に敷き詰めることが可能となり、草花の根が横に張ることができ、植栽の自由度が増す。植栽ポットを植栽溝部に設置する場合にも、植栽ポットの長さが制限されることが無い。さらに、支持面には庇と同様に強い日差しを避ける効果があるので、草花を育てやすい。
第２発明によれば、植栽溝部が基本ブロック部の前後両面に設けられているので、ブロック塀として施工すれば、その両面に草花を植栽することで両面緑化が可能である。
第３発明によれば、支持面が設けられているので、緑化ブロックを縦に施工する際に、下段の支持面で上段の植栽溝部の底板を支えることができる。基本ブロック部のみでブロック塀もしくは擁壁の重さを支える場合よりも、地震時などでも倒壊しにくい強固なブロック塀もしくは擁壁を施工することができる。
第４発明によれば、支持面が基本ブロック部の前後両面に設けられているので、植栽溝部を基本ブロック部の前後両面に設けた場合においても、緑化ブロックを縦に施工する際に、下段の支持面で上段の両面の植栽溝部の底板を支えることができる。基本ブロック部のみでブロック塀の重さを支える場合よりも、地震時などでも倒壊しにくい強固なブロック塀を施工することができる。
第５発明によれば、植栽溝部の底板に植栽溝水抜き穴が設けられているので、雨などで溜まる余分な水を排水することができる。植栽溝水抜き穴にフィルターを設置すると植栽溝部に敷き詰めた土を流出させることなく、余分な水のみを排水することができる。
第６発明によれば、植栽溝水抜き穴と支持面水抜き穴が平面視同位置に設けられているので、支持面が植栽溝水抜き穴を塞いでしまうことがなく、雨などで溜まる余分な水を排水することができる。
【発明を実施するための最良の形態】
【０００９】
つぎに、本発明の実施形態を図面に基づき説明する。
【００１０】
（第１実施形態）
図１は本発明の第１実施形態における緑化ブロックＡの斜視図である。図２は同緑化ブロックＡの左側面図である。図３は同緑化ブロックＡの平面図である。図４は同緑化ブロックＡの正面図である。本発明の緑化ブロックＡは立体的形状に特徴があるので、以下各図面に基づき説明する。
【００１１】
図１に示すように、緑化ブロックＡは主に基本ブロック部１と植栽溝部２と支持面３からなる。基本ブロック部１は外形的には直方体である。特許請求の範囲に記載の「基本ブロック」には、塀用ブロックや擁壁用ブロックなど、積み上げて固定する種々のブロックが含まれるが、本実施形態では塀用ブロックを用いている。本実施形態の基本ブロック部１は縦方向および横方向に断面楕円形の孔が開いている（図２、図３参照）。この穴は、緑化ブロックＡをブロック塀として施工する際に、鉄筋を通す、モルタルやコンクリートを充填するなどの方法でブロック塀を強固にするためのものである。請求項１記載の「直方体」には、矩形もしくは円形の穴が開いたものなど、基本ブロックとして必要な構造を有するものが含まれる。
植栽溝部２は底板２ａとその底板２ａの前面に設けられた側壁２ｂとで側面視Ｌ字型に形成されている（図１参照）。基本ブロック部１の前面に植栽溝部２の底板２ａの後面が接合され、基本ブロック部１と植栽溝部２が一体となっている。なお、底板２ａの後面側には側面視で三角形の接合部２ｃを形成しておき、基本ブロック部１の前面に対し広い面積で接合しておくことが、強度確保に好ましい。
植栽溝部２は、基本ブロック部１の前面の一端から他端にかけて水平に設けられており（図４参照）、かつ底板２ａが基本ブロック部１の前面の下端に位置するように設けられている（図２参照）。
支持面３は基本ブロック部１の前面の上端に突出して設けられている（図１参照）。本実施形態では、支持面３は、基本ブロック部１の前面の一端から他端にかけて水平に設けられており（図４参照）、かつ平面視で植栽溝部２と同程度の大きさとなる長方形をしている（図３参照）。
【００１２】
図５は緑化ブロックＡにより施工された緑化ブロック塀Ｘの外観図である。緑化ブロックＡは基本ブロック部１も植栽溝部２も正面視長方形であり、側面は垂直で凹凸がないため、縦横に並べると隙間なく密着し、緑化ブロック塀Ｘとして施工できる。また、緑化ブロック塀Ｘの植栽溝部２には、草花１０を植栽することができる。植栽溝部２の側面には壁がないためその分軽量となっている、そのため緑化ブロックＡを多段積みにし、緑化ブロック塀Ｘとすることも可能である。緑化ブロック塀Ｘとして施工する際に、基本ブロック部１に設けられた穴に鉄筋を通す、モルタルやコンクリートを充填する方法で緑化ブロック塀Ｘを強固にするが、このモルタルやコンクリートの充填などは基本ブロック部１のみで行い、植栽溝部２では行わないので、花壇としての見栄えがよく、草花１０の成長の邪魔にもならない。
【００１３】
緑化ブロックＡを横並びに施工すると、隣り合う植栽溝部２同士が連結し、連続した長尺の植栽溝部２を形成することができる。連続した長尺の植栽溝部２が形成されることにより、土１１を連続的に敷き詰めることが可能となり、草花１０の根が横に張ることができ、植栽の自由度が増す。大型の草花１０を植栽することもできるし、ブロック単位に制限されることなく自由な配置で植栽することもできる。植栽ポット１２を植栽溝部２に設置する場合にも、植栽ポット１２の長さが制限されることが無く、小型の植栽ポット１２から大型の植栽ポット１２まで自由な配置で設置することができる。また、最上段の植栽溝部２であっても、支持面３には庇と同様に強い日差しを避ける効果があるので、草花１０を育てやすい。
【００１４】
図６は緑化ブロック塀Ｘの左側面図である。緑化ブロックＡを縦に施工すると、上段の緑化ブロックＡの植栽溝部２の底板２ａは、下段の緑化ブロックＡの支持面３で支えられる。基本ブロック部１のみで緑化ブロック塀Ｘの重さを支える場合よりも、接触する前後の寸法が大きくなるので、地震時などでも倒壊しにくい強固なブロック塀を施工することができる。
【００１５】
前記緑化ブロックＡは、図１に示すように、植栽溝部２の底板２ａの左右両端中央に植栽溝水抜き穴４が設けられており、かつ支持面３の左右両端中央に支持面水抜き穴５が設けられている。また図３に示すように、植栽溝水抜き穴４と支持面水抜き穴５は平面視同位置に設けられている。このため図６に示すように、緑化ブロックＡを縦に施工すると、下段の緑化ブロックＡの支持面水抜き穴５と上段の緑化ブロックＡの植栽溝水抜き穴４が接続するので、支持面３が植栽溝水抜き穴４を塞いでしまうことがない。さらに図５に示すように、緑化ブロックＡを横並びに施工すると隣り合う緑化ブロックＡの植栽溝水抜き穴４同士および支持面水抜き穴５同士が接続し、一体となって水抜き穴８を形成する。
【００１６】
上記のとおり、水抜き穴８が形成されるので雨などで植栽溝部２に溜まる余分な水を排水することができる。水抜き穴８にフィルター９を設置すると植栽溝部２に敷き詰めた土１１を流出させることなく、余分な水のみを排水することができる。
【００１７】
本実施形態では、植栽溝水抜き穴４および支持面水抜き穴５を左右両端に設けたが、この位置に限る必要はない。底板２ａおよび支持面３の中央付近に設けてもよいし、その数も１つでも、複数でもよい。ただし、本実施形態のように端部に穴を設けた方が、緑化ブロックＡの形成が容易となり、さらに中央付近に設ける場合に比べ、強度低下が少ないので好ましい。
【００１８】
また、支持面３の上面に支持面水抜き穴４に向かって下がる勾配を形成すれば、最上段の支持面３に降った雨水を集めやすくなり、その雨水を植栽溝部２に植栽した草花１０に供給することができる。
【００１９】
図２に示すように、緑化ブロックＡの基本ブロック部１の上面には位置決め凸部６が、底面には位置決め凹部７が設けられている。このため図６に示すように、緑化ブロックＡを縦に積み上げ施工すると、下段の緑化ブロックＡの位置決め凸部６と上段の緑化ブロックＡの位置決め凹部７がかみ合う。これにより、緑化ブロックＡの施工時の位置決めが容易となり、また施工後の緑化ブロック塀Ｘの水平方向の外力に対する強度を増加される。
【００２０】
上述のとおり、緑化ブロックＡを用いて施工した緑化ブロック塀Ｘは、植栽が可能なブロック塀となる（図５参照）。また、連続した長尺の植栽溝部２には土１１を敷き詰めて草花１０を植栽できるほか、植栽ポット１２を設置することもできる。
さらに、植栽溝部２と支持面３は人が住むマンションのベランダと庇に見た目に相似形であるので、都市景観とマッチしやすい。
【００２１】
そして、図９に示すように、一般的な塀用ブロックＺと組み合わせて、一部に緑化ブロックＡを用いて緑化ブロック塀Ｘを施工してもよい。一段おきに緑化ブロックを施工する場合には、支持面３で上段の緑化ブロックを支えることはできないので支持面３が不要となる。その場合には後述する緑化ブロックＢを用いて施工してもよい。
【００２２】
緑化ブロックＡの材質には特に限定はないが、例えばコンクリートで形成される。緑化ブロックＡを用いて緑化ブロック塀Ｘを施工するには同じ形の緑化ブロックＡを多数用意する必要がある。そのため生産性から考えると、大量生産に適したコンクリートで製造する事が好ましい。
【００２３】
（第２実施形態）
次に、本発明の第２実施形態における緑化ブロックＢについて説明する。
図７は本発明の緑化ブロックＢの一例を示す斜視図である。図８は本発明の緑化ブロックＢの他の例を示す側面図である。緑化ブロックＢには支持面３が設けられていない。また、植栽溝部２は基本ブロック部１の前面において下端よりやや上に固定されている。図８では植栽溝部２は基本ブロック部１の中段付近に設けられている。この緑化ブロックＢでは、植栽溝部２が基本ブロック部１の前面の下端に位置する必要がないので、上下方向の何れの位置に植栽溝部２が設けられてもよい。その余の構成は第１実施形態とほぼ同じであるので、同一部材に同一符号を付して説明を省略する。
【００２４】
前記緑化ブロックＢには支持面３がないので、緑化ブロックＢを縦に施工すると、基本ブロック部１のみでブロック塀の重さを支えることになる。しかし、基本ブロック部１に対して植栽溝部２が小さい場合や、植栽溝部２に軽量の草花１０を植栽する場合には本実施形態の形状でも問題ない。また、図９に示すように、緑化ブロック塀Ｘの最上段に緑化ブロックＢを施工した場合や、最上段でなくても緑化ブロックＢの上段に一般的な塀用ブロックを施工した場合には、高さ方向に遮るものがないので、緑化ブロックＢの高さを超える背の高い草花１０を植栽することができる。本実施形態においても緑化ブロックＢを横並びに施工すると連続した長尺の植栽溝部２を形成することができ、その効果は第１実施形態の緑化ブロックＡと同様である。
【００２５】
（第３実施形態）
次に、本発明の第３実施形態における緑化ブロックＣについて説明する。
図１０は本発明の緑化ブロックＣの上段に一般的な塀用ブロックＺを積み上げた際の側面図である。緑化ブロックＣは、第２実施形態の緑化ブロックＢと似た形状をしているが、植栽溝部２が基本ブロック部１の前面の上端に位置している。その余の構成は第１実施形態とほぼ同じであるので、同一部材に同一符号を付して説明を省略する。
【００２６】
図１０に示すように、緑化ブロックＣはその上段に一般的な塀用ブロックＺ、あるいは別の緑化ブロックＣを積み上げることにより、下段の植栽溝部２と上段の塀用ブロックとで溝を形成することができ、その溝に植栽を施すことができる。本実施形態においても緑化ブロックＣを横並びに施工すると連続した長尺の植栽溝部２を形成することができ、その効果は第１実施形態の緑化ブロックＡと同様である。
【００２７】
（第４実施形態）
次に、本発明の第４実施形態における緑化ブロックＤについて説明する。
図１１は本発明の緑化ブロックＤの斜視図である。緑化ブロックＤの支持面３は、基本ブロック部１の前面の上端から突出して設けられており、平面視で植栽溝部２よりも小さい形状をしている。また、支持面３には支持面水抜き穴５が設けられていない。その余の構成は第１実施形態とほぼ同じであるので、同一部材に同一符号を付して説明を省略する。
【００２８】
第１実施形態の場合と同じく、緑化ブロックＤを縦に施工すると、上段の緑化ブロックＤの植栽溝部２の底板２ａは、下段の緑化ブロックＦの支持面３で支えられる。基本ブロック部１のみで緑化ブロック塀Ｘの重さを支える場合よりも強固なブロック塀を施工することができる。支持面３は、基本ブロック部１の前面の一端から他端にかけて設けられてはいないが、上段の緑化ブロックＤを支えることのできる大きさを有する。支持面３の大きさを必要最小限にすることで緑化ブロックＤ自体の重さを軽くすることができる。また、本実施形態の場合、植栽溝水抜き穴４は底板２ａの左右両端に設けられており、支持面３が植栽溝水抜き穴４を塞いでしまうことがないので、支持面３に支持面水抜き穴５を設ける必要がない。
【００２９】
（第５実施形態）
次に、本発明の第５実施形態における緑化ブロックＥについて説明する。
図１２は本発明の緑化ブロックＥの側面図である。緑化ブロックＥは、第１実施形態の緑化ブロックＡにおいて、さらに基本ブロック部１の裏面にも植栽溝部２が設けられた形状をしている。なお、支持面３は無いものでよく、有るものでもよいが、支持面３が有る方が、段積みする場合の強度は保ちやすくなる。その余の構成は第１実施形態とほぼ同じであるので、同一部材に同一符号を付して説明を省略する。
【００３０】
緑化ブロックＥを緑化ブロック塀として施工した場合においても、第１実施形態の場合と同じく、隣り合う植栽溝部２同士が連結し、連続した長尺の植栽溝部２を形成することができ、上段の緑化ブロックＥの植栽溝部２の底板２ａは、下段の緑化ブロックＥの支持面３で支えられる。その効果は第１実施形態の緑化ブロックＡと同様である。
さらに、植栽溝部２が基本ブロック部１の前後両面に設けられているので、緑化ブロック塀の両面に草花を植栽することで両面緑化が可能である。
【００３１】
上記実施形態は、植栽溝部２を基本ブロック部１の下端に設けたものであるが、植栽溝部２を中段に設けた図７，８の緑化ブロックＢや植栽溝部２を上段に設けた図１０の緑化ブロックＣ、さらに図１１の緑化ブロックＤを、基本ブロック部１の前後に設けたものも本発明に含まれる。
【００３２】
（第６実施形態）
つぎに、本発明の第６実施形態における緑化ブロックＦについて説明する。
図１３は本発明の緑化ブロックＦの斜視図である。図１４は一般的な塀用ブロックＺの上段に緑化ブロックＦを積み上げた際の側面図である。緑化ブロックＦは、第２実施形態の緑化ブロックＢにおいて、底板２ａが基本ブロック部１の前面の下端に位置するように設けられており、側壁２ｂが基本ブロック部１と同じ高さをした形状をしている。さらに、基本ブロック部１と側壁２ｂの側面に切欠溝１３が設けられており、その切欠溝１３に筋交１４が渡されている。その余の構成は第２実施形態とほぼ同じであるので、同一部材に同一符号を付して説明を省略する。
【００３３】
本実施形態の前記緑化ブロックＦでは支持面３がないが、緑化ブロックＦを縦に積上げると、基本ブロック部１と植栽溝部２でブロック塀の重さを支えることができる。したがって、植栽溝部２に多量の草花１０を植栽することが可能である。また、図９に示すように、緑化ブロック塀Ｘの最上段に緑化ブロックＦを施工した場合や、最上段でなくても緑化ブロックＦの上段に一般的な塀用ブロックを施工した場合には、高さ方向に遮るものがないので、緑化ブロックＦの高さを超える背の高い草花１０を植栽することができる。さらに、本実施形態においても緑化ブロックＦを横並びに施工すると連続した長尺の植栽溝部２を形成することができ、その効果は第１実施形態の緑化ブロックＡと同様である。
【００３４】
なお、一般的な塀用ブロックＺの上段に緑化ブロックＦを積み上げた場合、植栽溝部２を下から支えるものがないので、例えば子供が側壁２ｂにぶら下がったりすると、植栽溝部２が割れてしまう恐れがある。そのため、筋交１４を基本ブロック部１と側壁２ｂとの間に渡すことにより植栽溝部２を補強して、植栽溝部２が割れないようにしている。
【００３５】
（他の実施形態）
前記各実施形態では、植栽溝水抜き穴４も支持面水抜き穴５も、左右両面に設けたが、これを左右いずれか片面に設けてもよい。この場合でも、水抜きは可能である。
【００３６】
前記各実施形態では、塀用ブロックを特許請求の範囲にいう基本ブロックとして用いたが、基本ブロック部１を擁壁用ブロック部に代えてもよい。
この場合、緑化ブロックはそのブロック部が大型、肉厚の擁壁ブロック部となっているので、切土、盛り土などの崖の側面に擁壁として施工することができる。
また、緑化ブロックを擁壁として施工した場合においても、第１実施形態の場合と同じく、隣り合う植栽溝部２同士が連結し、連続した長尺の植栽溝部２を形成することができる。その効果は第１実施形態の緑化ブロックＡと同様である。
【００３７】
以上のように、本発明の緑化ブロックにより、ブロック単位に制限されることなく連続した長尺の植栽溝を形成することができる緑化ブロックを提供することができる。
【図面の簡単な説明】
【００３８】
【図１】本発明の第１実施形態における緑化ブロックＡの斜視図である。
【図２】同緑化ブロックＡの左側面図である。
【図３】同緑化ブロックＡの平面図である。
【図４】同緑化ブロックＡの正面図である。
【図５】同緑化ブロックＡにより施工された緑化ブロック塀Ｘの外観図である。
【図６】同緑化ブロック塀Ｘの左側面図である。
【図７】本発明の第２実施形態における緑化ブロックＢの一例を示す斜視図である。
【図８】本発明の緑化ブロックＢの他の例を示す側面図である。
【図９】緑化ブロックＡ、緑化ブロックＢおよび一般的な塀用ブロックＺにより施工された緑化ブロック塀Ｘの外観図である。
【図１０】本発明の第３実施形態における緑化ブロックＣの上段に一般的な塀用ブロックＺを積み上げた際の側面図である。
【図１１】本発明の第４実施形態における緑化ブロックＤの斜視図である。
【図１２】本発明の第５実施形態における緑化ブロックＥの側面図である。
【図１３】本発明の第６実施形態における緑化ブロックＦの斜視図である。
【図１４】一般的な塀用ブロックＺの上段に緑化ブロックＦを積み上げた際の側面図である。
【符号の説明】
【００３９】
Ａ〜Ｅ  緑化ブロック
１  基本ブロック部
２  植栽溝部
２ａ  底板
２ｂ  側壁
３  支持面
４  植栽溝水抜き穴
５  支持面水抜き穴
６  位置決め凸部
７  位置決め凹部
８  水抜き穴
９  フィルター
１３  切欠溝
１４  筋交
【図１】
2010148469.tif 000003
【図２】
2010148469.tif 000004
【図３】
2010148469.tif 000005
【図４】
2010148469.tif 000006
【図５】
2010148469.tif 000007
【図６】
2010148469.tif 000008
【図７】
2010148469.tif 000009
【図８】
2010148469.tif 000010
【図９】
2010148469.tif 000011
【図１０】
2010148469.tif 000012
【図１１】
2010148469.tif 000013
【図１２】
2010148469.tif 000014
【図１３】
2010148469.tif 000015
【図１４】
2010148469.tif 000016